(57)【要約】【課題】排水部材の接続距離を調整可能であるとともに、水圧によって係合が解除され難いタンクフレーム装置及びトイレ装置を提供すること。【解決手段】実施形態に係るタンクフレーム装置は、フレーム体に対して排水部材を位置決めする位置決め部を備える。位置決め部は、排水部材に形成された第１被係合部と係合する第１係合部と、フレーム体に形成された第２被係合部と係合する複数の第２係合部とを備える。複数の第２係合部は、第１係合部との前後距離がそれぞれ異なる。【選択図】図５Ｂ
2020153090.tif 000002
【特許請求の範囲】
【請求項１】
壁掛用便器本体が取り付けられる壁部の壁裏領域に配置されるタンク本体と、
前記壁裏領域の床面に立設し、前記タンク本体を前記床面よりも高い位置に支持するフレーム体と、
前記床面に形成された排水口と前記壁掛用便器本体とを接続する排水部材と、
前記フレーム体に対して前記排水部材を位置決めする位置決め部と、
を備え、
前記位置決め部は、
前記排水部材に形成された第１被係合部と係合する第１係合部と、
前記フレーム体に形成された第２被係合部と係合する複数の第２係合部と
を備え、
前記複数の第２係合部は、前記第１係合部との前後距離がそれぞれ異なる、タンクフレーム装置。
【請求項２】
前記複数の第２係合部は、
前記位置決め部の第１の面と前記第１の面とは異なる第２の面とに設けられる、請求項１に記載のタンクフレーム装置。
【請求項３】
前記位置決め部は、
前記排水部材を挟み込んだ状態で互いに係合する第１位置決め部材および第２位置決め部材を有し、
前記第１位置決め部材は、前記第１の面を有し、
前記第２位置決め部材は、前記第２の面を有する、請求項２に記載のタンクフレーム装置。
【請求項４】
前記第２被係合部は、
前記第２係合部が前後方向に移動可能となるように形成される、請求項１または２に記載のタンクフレーム装置。
【請求項５】
前記第１被係合部は、
前記排水部材の前後方向における異なる位置に少なくとも２つ形成される、請求項１〜４のいずれか１つに記載のタンクフレーム装置。
【請求項６】
請求項１〜５のいずれか１つに記載のタンクフレーム装置と、
前記壁掛用便器本体と、
を備える、トイレ装置。
【発明の詳細な説明】
【技術分野】
【０００１】
開示の実施形態は、タンクフレーム装置及びトイレ装置に関する。
【背景技術】
【０００２】
従来、タンク本体がフレーム体に固定されることで壁部後方の壁裏領域に隠されるように配置され、便器本体を洗浄するための洗浄水を貯水するタンクフレーム装置及びトイレ装置が知られている。フレーム体は、たとえば壁裏領域に配置され、便器本体は、壁部前方の表（おもて）面に取り付けられる。便器本体から排出される洗浄水は、壁裏領域に設けられた排水口から外部の下水管等に排出される。便器本体と排水口とは、およそ９０度に屈曲した排水部材によって接続される。
【０００３】
排水部材は、位置決め部によってフレーム体に対して位置決めされる。排水口と壁部との前後距離は、設置現場によってそれぞれ異なるため、排水部材の接続距離は、現場ごとに調整する必要がある。このため、排水部材と係合する溝を位置決め部に複数設けることによって接続距離を調整する技術が提案されている（たとえば、特許文献１参照）。
【先行技術文献】
【特許文献】
【０００４】
【特許文献１】米国公開特許２００９／０１６０１８１号明細書
【発明の概要】
【発明が解決しようとする課題】
【０００５】
しかしながら、上記した技術を用いた場合、排水部材は、位置決め部の溝に係合されるため、排水部材と位置決め部との接触面積が小さくなる。排水部材は、上記した屈曲部分で大きな水圧を受けるため、水圧によって係合が解除される恐れがある。
【０００６】
実施形態の一態様は、上記に鑑みてなされたものであって、排水部材の接続距離を調整可能であるとともに、水圧によって係合が解除され難いタンクフレーム装置及びトイレ装置を提供することを目的とする。
【課題を解決するための手段】
【０００７】
実施形態の一態様に係るタンクフレーム装置は、壁掛用便器本体が取り付けられる壁部の壁裏領域に配置されるタンク本体と、前記壁裏領域の床面に立設し、前記タンク本体を前記床面よりも高い位置に支持するフレーム体と、前記床面に形成された排水口と前記壁掛用便器本体とを接続する排水部材と、前記フレーム体に対して前記排水部材を位置決めする位置決め部と、を備え、前記位置決め部は、前記排水部材に形成された第１被係合部と係合する第１係合部と、前記フレーム体に形成された第２被係合部と係合する複数の第２係合部とを備え、前記複数の第２係合部は、前記第１係合部との前後距離がそれぞれ異なる。
【０００８】
かかる構成によれば、複数の第２被係合部は、第１被係合部との前後距離がそれぞれ異なるため、第２被係合部に係合させる第２係合部を変更することによって、位置決め部と排水部材の接触面積を確保しながら、排水部材の接続距離を調整することができる。
【０００９】
また、上記したタンクフレーム装置では、前記複数の第２係合部は、前記位置決め部の第１の面と前記第１の面とは異なる第２の面とに設けられる。
【００１０】
かかる構成によれば、複数の第２係合部は、位置決め部の第１の面と第１の面とは異なる第２の面とに設けられるため、たとえば、位置決め部を排水部材周りに沿って回転させることによって第２被係合部と第１被係合部との前後距離が変更できるようになる。これにより、位置決めのパターンを更に増やすことができ、排水部材の接続距離をより細かく調整することができる。
【００１１】
また、上記したタンクフレーム装置では、前記位置決め部は、前記排水部材を挟み込んだ状態で互いに係合する第１位置決め部材および第２位置決め部材を有し、前記第１位置決め部材は、前記第１の面を有し、前記第２位置決め部材は、前記第２の面を有する。
【００１２】
かかる構成によれば、位置決め部は、第１位置決め部材および第２位置決め部材を有し、第１位置決め部材は、第１の面を有し、第２位置決め部材は、第２の面を有するため、たとえば、位置決め部の下半分を第１位置決め部材とし、上半分を第２位置決め部材とした場合、上下を反対にすることで第２被係合部と第１被係合部との前後距離が変更できるようになる。これにより、位置決めのパターンを更に増やすことができ、排水部材の接続距離をより細かく調整することができる。
【００１３】
また、上記したタンクフレーム装置では、前記第２被係合部は、前記第２係合部が前後方向に移動可能となるように形成される。
【００１４】
かかる構成によれば、第２係合部が前後方向に移動することによって、第２被係合部と第１被係合部との前後距離が変わるため、位置決めのパターンを更に増やすことができ、排水部材の接続距離をより細かく調整することができる。
【００１５】
また、上記したタンクフレーム装置では、前記第１被係合部は、前記排水部材の前後方向における異なる位置に少なくとも２つ形成される。
【００１６】
かかる構成によれば、係合させる第１被係合部との組み合わせを変更することによって、位置決めのパターンを更に増やすことができ、排水部材の接続距離をより細かく調整することができる。
【００１７】
さらに、実施形態の一態様に係るトイレ装置は、上述したタンクフレーム装置と、前記壁掛用便器本体と、を備える。
【００１８】
かかる構成によれば、複数の第２被係合部は、第１被係合部との前後距離がそれぞれ異なるため、第２被係合部に係合させる第２係合部を変更することによって、位置決め部と排水部材の接触面積を確保しながら、排水部材の接続距離を調整することができる。
【発明の効果】
【００１９】
実施形態の一態様によれば、排水部材の接続距離を調整可能であるとともに、水圧によって係合が解除され難いタンクフレーム装置及びトイレ装置を提供することができる。
【図面の簡単な説明】
【００２０】
【図１】図１は、第１実施形態に係るトイレ装置の概略斜視図である。
【図２】図２は、第１実施形態に係るタンクフレーム装置の概略組立説明図である。
【図３】図３は、第１実施形態に係る位置決め部材の概略左側面図である。
【図４Ａ】図４Ａは、第１実施形態に係る位置決め部材の組立説明図である。
【図４Ｂ】図４Ｂは、第１実施形態に係る位置決め部材の組立説明図である。
【図５Ａ】図５Ａは、第１実施形態に係るタンクフレーム装置の組立説明図（その１）である。
【図５Ｂ】図５Ｂは、第１実施形態に係るタンクフレーム装置の組立説明図（その１）である。
【図６Ａ】図６Ａは、第１実施形態に係るタンクフレーム装置の組立説明図（その２）である。
【図６Ｂ】図６Ｂは、第１実施形態に係るタンクフレーム装置の組立説明図（その２）である。
【図７Ａ】図７Ａは、第１実施形態に係るタンクフレーム装置の組立説明図（その３）である。
【図７Ｂ】図７Ｂは、第１実施形態に係るタンクフレーム装置の組立説明図（その３）である。
【図８】図８は、第２実施形態に係るフレーム体の概略拡大斜視図である。
【図９Ａ】図９Ａは、第２実施形態に係る位置決め部材の組立説明図である。
【図９Ｂ】図９Ｂは、第２実施形態に係る位置決め部材の組立説明図である。
【図９Ｃ】図９Ｃは、第２実施形態に係る位置決め部材の組立説明図である。
【発明を実施するための形態】
【００２１】
以下、添付図面を参照して、本願の開示するタンクフレーム装置及びトイレ装置の実施形態を詳細に説明する。なお、以下に示す実施形態によりこの発明が限定されるものではない。
【００２２】
まず、図１を参照して実施形態に係るトイレ装置の全体構成について説明する。図１は、実施形態に係るトイレ装置の概略斜視図である。
【００２３】
なお、図１において、説明を分かりやすくするために、鉛直上向きを正方向とするＺ軸を含む３次元の直交座標系を図示している。かかる直交座標系は、他の図においても図示している場合がある。
【００２４】
また、かかる直交座標系は、Ｙ軸の正方向視を正面と規定し、Ｘ軸の正方向視を左側面、Ｘの負方向視を右側面、Ｚ軸の負方向視を平面（「上面」ともいう）と規定している。このため、以下の説明では、Ｘ軸方向を左右方向、Ｙ軸方向を前後方向、Ｚ軸方向を上下方向という場合がある。
【００２５】
図１に示すように、第１実施形態に係るトイレ装置Ｔは、タンクフレーム装置１と、壁部Ｗ１に取り付けられる壁掛用便器本体２とを備える。タンクフレーム装置１は、タンク本体１０と、フレーム体３と、排水部材５と、位置決め部７と、接続部８（図２参照）とを備える。また、壁掛用便器本体２は、便器２０と、温水洗浄機能部２１とを備える。
【００２６】
タンク本体１０は、壁部Ｗ１の壁裏領域に配置され、壁掛用便器本体２を洗浄する水を貯水するとともにこの壁掛用便器本体２に水を供給する。なお、壁裏領域とは、壁掛用便器本体２が配置される壁部Ｗ１の壁表領域に対して壁部Ｗ１を挟んで反対側に位置し、壁部Ｗ１によって隠蔽される領域のことである。タンク本体１０は、たとえば、重力を利用して便器２０に水を供給する重力給水式である。タンク本体１０は、壁部Ｗ１の壁裏領域に配置されるため、タンク本体１０内の奥行方向（Ｙ軸方向）におけるスペースが小さく限られている。
【００２７】
タンク本体１０の上部前面には、取付後のメンテナンス等を行うことができる面板開口部１１が形成されている。タンクフレーム装置１が使用されている場合において、面板開口部１１には、パネル状部材６が取り付けられており、これにより、面板開口部１１は塞がれた状態となっている。
【００２８】
フレーム体３は、壁裏領域の床面Ｆ１に立設され、タンク本体１０を床面Ｆ１よりも高い位置に支持する。フレーム体３は、たとえば、床面Ｆ１から垂直上向きに延伸し、下端部が床面Ｆ１に固定される複数（ここでは２本）の柱部３０と、床面Ｆ１に対して平行に延伸し、２つの柱部３０を繋ぐ複数（ここでは３本）の梁部３１とを有する。
【００２９】
排水部材５は、管状の部材（いわゆるエルボー管）であり、排水口４が設けられた床面Ｆ１から垂直上向きに延伸し、壁掛用便器本体２の背面において水平向きに開口する排水流路(図示省略)の高さでおよそ９０度に屈曲することで、排水口４と壁掛用便器本体２の排水流路とを接続する。排水口４は、壁部Ｗ１の壁裏領域の空間の床面Ｆ１に設けられ、便器２０から排出される水をトイレ装置Ｔの外の排水管（図示せず）等に排出する。
【００３０】
位置決め部７は、フレーム体３に対して排水部材５を位置決めする部材である。位置決め部７により、排水部材５の移動が制限される。一方、排水口４と壁部Ｗ１との前後距離は、設置現場によってそれぞれ異なるため、排水部材５の接続距離は、現場ごとに調整する必要がある。そこで、位置決め部７は、排水部材５の接続距離を調整することができるようになっている。接続部８は、位置決め部７およびフレーム体３を接続する。なお、接続方法および接続距離の調整については、後述する。
【００３１】
温水洗浄機能部２１は、給水ホース（図示省略）が接続され、給水ホースを介してタンク本体１０内に配置された給水弁装置等（図示省略）から供給された水を人体局部に向けて吐水し、人体局部を洗浄する。
【００３２】
位置決め部７および接続部８の詳細について図２および図３を参照して説明する。図２は、第１実施形態に係るタンクフレーム装置１の概略組立説明図である。図３は、第１実施形態に係る位置決め部７の概略左側面図である。なお、図２には、各構成が組み立てられる前の状態を示している。
【００３３】
図２に示すように、排水部材５には、複数（ここでは、２つ）の第１被係合部５０が形成されている。実施形態において、第１被係合部５０は、排水部材５の水平に延在する部分の周方向に沿って形成された溝部である。ここでは、排水部材５の前後方向に異なる位置に２つの第１被係合部５０が形成される場合の例を示すが、排水部材５は、少なくとも１つの第１被係合部５０を備えていれば良い。また、第１被係合部５０は、位置決め部７と係合できるものであればよく、必ずしも溝部であることを要しない。
【００３４】
位置決め部７は、第１位置決め部材７０と、第２位置決め部材７１とを有している。第１位置決め部材７０および第２位置決め部材７１は、互いに係合できるように構成されている。具体的には、第１位置決め部材７０および第２位置決め部材７１にそれぞれ形成された第１係合部８５が、排水部材５のうち水平に延在する部分を上下から挟み込んだ状態で互いに係合する。これにより、溝部である第１被係合部５０に第１係合部８５が嵌まり込み、位置決め部７は、排水部材５に係合した状態となる。
【００３５】
図２において、第１位置決め部材７０は、下側（Ｚ軸負方向側）の部材であり、第２位置決め部材７１は、上側（Ｚ軸正方向側）の部材である。なお、後述するが、第１位置決め部材７０および第２位置決め部材７１は、上下反転させて使用することも可能である。すなわち、第２位置決め部材７１を下側とし、第１位置決め部材７０を上側とすることも可能である。後述する第２被係合部８１は、位置決め部７よりも下方に配置され、第１位置決め部材７０および第２位置決め部材７１のうち下側に配置された位置決め部材と係合する。
【００３６】
接続部８は、位置決め部７に形成された複数の第１係合部８５および複数の第２係合部８０と、フレーム体３に形成された複数の第２被係合部８１とを有する。実施形態において、第２係合部８０は突出部であり、第２被係合部８１は、中空四角柱の形状をした梁部３１に設けられる開口部である。
【００３７】
接続部８は、第２係合部８０と第２被係合部８１とが係合することにより、位置決め部７とフレーム体３とを接続する。
【００３８】
複数の第１係合部８５は、第１位置決め部材７０および第２位置決め部材７１にそれぞれ設けられている。第１位置決め部材７０と第２位置決め部材７１とが係合することで、各々に形成された第１係合部８５が一体化して、溝部である第１被係合部５０に嵌まり込む。これにより、位置決め部７は、第１被係合部５０と係合する。また、位置決め部７が接続部８を介してフレーム体３に接続されることで、排水部材５は、移動を制限されて、フレーム体３に対して位置決めされる。
【００３９】
複数の第２係合部８０は、第１位置決め部材７０および第２位置決め部材７１にそれぞれ設けられている。具体的には、図２において、複数の第２係合部８０は、第１位置決め部材７０の下面７００（位置決め部７の第１の面の一例）と、第２位置決め部材７１の上面７１０（位置決め部７の第２の面の一例）とに設けられる。
【００４０】
実施形態において、位置決め部７は、左右方向（Ｘ軸方向）に並べられた一対の第２係合部８０を合計３組有しており、そのうちの２組が第１位置決め部材７０に設けられ、残りの１組が第２位置決め部材７１に設けられている。以下では、第１位置決め部材７０に設けられている２組の第２係合部８０を第２係合部８００と記載し、第２位置決め部材７１に設けられている第２係合部８０を第２係合部８０１と記載する。また、第１位置決め部材７０に設けられている２組の第２係合部８００をそれぞれ第２係合部８００ａ，８００ｂと記載する。
【００４１】
第２係合部８００ａ，８００ｂは、前後方向（Ｙ軸方向）に並べられる。すなわち、第２係合部８００ａと第２係合部８００ｂとは異なる前後位置に配置される。さらに、第２位置決め部材７１に設けられる第２係合部８０１も、第２係合部８００ａ，８００ｂとは異なる前後位置に配置される。このように、複数の第２係合部８０、具体的には、第２係合部８００ａ，８００ｂおよび第２係合部８０１は、位置決め部７の前後方向の異なる位置に形成されている。
【００４２】
図３に、第２係合部８００ａ，８００ｂおよび第２係合部８０１の形成される位置をそれぞれＰ１，Ｐ２およびＰ３で示す。図３に示すように、複数の第２係合部８０は、第１係合部８５との前後距離がそれぞれ異なっている。なお、実施形態において、第２係合部８００ａと、第２係合部８００ｂとは、第１係合部８５を挟んで前後に配置される。
【００４３】
次に、位置決め部７とフレーム体３の接続について図４Ａおよび図４Ｂを参照して説明する。図４Ａおよび図４Ｂは、第１実施形態に係る位置決め部７の組立説明図である。図４Ａおよび図４Ｂに示すように、位置決め部７は、弾性変形する左右移動抑制部８５０を更に備えている。左右移動抑制部８５０は、第２係合部８０の側方（図４Ａでは、右側方）に設けられ、左右方向に沿って延在する。
【００４４】
第２被係合部８１は、フレーム体３の梁部３１に形成された開口部であり、前後方向に狭く開口している部分（第２被係合部８１のＸ軸負方向側の部分）と、広く開口している部分（第２被係合部８１のＸ軸正方向側の部分）とを有している。
【００４５】
第２係合部８０は、位置決め部７からフレーム体３の方向（下方）に突出する形状になっており、前後方向に狭く形成された上側の部分（第２係合部８０のＺ軸正方向側の部分）と、広く形成された下側の部分（第２係合部８０のＺ軸負方向側の部分）とを有している。
【００４６】
また、第２係合部８０の上側の部分（第２係合部８０のＺ軸正方向側の部分）は、左右方向にも狭く形成されており、第２係合部８０の下側の部分（第２係合部８０のＺ軸負方向側の部分）は、左右方向にも広く形成されている。
【００４７】
第２被係合部８１の前後方向に狭く開口している部分は、第２係合部８０の前後方向に狭く形成された上側の部分よりも広く、第２係合部８０の広く形成された下側の部分よりも狭く形成されている。また、第２被係合部８１の前後方向に広く開口している部分は、第２係合部８０の前後方向に広く形成された下側の部分よりも広く形成されている。
【００４８】
位置決め部７をフレーム体３に取り付ける際には、まず、図４Ａに示すように、第２被係合部８１の前後方向に広く開口している部分に第２係合部８０を挿入する。
【００４９】
そして、図４Ｂに示すように、位置決め部７を左方向（Ｘ軸負方向）に移動させることで、第２係合部８０の前後方向に広く形成された下側の部分が、第２被係合部８１の狭く開口している部分の下に入り込む。そして、位置決め部７を左方向に移動し終えると、左右移動抑制部８５０が第２被係合部８１に嵌り込む。これにより、上下方向（Ｚ軸方向）および左右方向（Ｘ軸方向）の移動が制限される。位置決め部７を前後方向（Ｙ軸方向）に移動させようとした場合は、第２係合部８０の上側の部分がフレーム体３に接触し、移動が制限される。これらにより、位置決め部７がフレーム体３に接続される。
【００５０】
なお、フレーム体３はタンク本体１０（図１参照）を支持するために、金属等の強度の高い部材で作られる場合が多いため、第２係合部８０を凸形状とし、第２被係合部８１を開口部とすることで接続部８を簡便に形成することができるため好適である。しかし、これに限られず、例えば、第２被係合部８１を凸形状としても良く、ボルト等で締結するものであっても良い。
【００５１】
次に、接続部８の接続距離の調整について図５Ａ〜図７Ｂを参照して説明する。図５Ａおよび図５Ｂは、第１実施形態に係るタンクフレーム装置１の組立説明図（その１）であり、図６Ａおよび図６Ｂは、第１実施形態に係るタンクフレーム装置１の組立説明図（その２）であり、図５Ａおよび図５Ｂは、第１実施形態に係るタンクフレーム装置１の組立説明図（その３）である。なお、図５Ａおよび図５Ｂは、第２係合部８００ａと第２被係合部８１とを係合させた状態を示している。また、図６Ａおよび図６Ｂは、第２係合部８００ｂと第２被係合部８１とを係合させた状態を示している。また、図７Ａおよび図７Ｂは、第２係合部８０１と第２被係合部８１とを係合させた状態を示している。
【００５２】
上述したように、接続部８は、第２係合部８０と第２被係合部８１とを係合させることにより、位置決め部７とフレーム体３とを接続する。そして、位置決め部７は、第１被係合部５０と係合することで排水部材５を位置決めする。
【００５３】
図５Ａおよび図５Ｂに示すように、第２係合部８００ａと第２被係合部８１とが係合され、排水部材５の位置決めがされた状態において、第２被係合部８１と第１被係合部５０との前後距離は、距離Ｌ１となる。たとえば、第１被係合部５０のおよそ１０ミリメートル前方に第２被係合部８１が位置する。
【００５４】
図６Ａおよび図６Ｂに示すように、第２係合部８００ｂと第２被係合部８１とが係合され、排水部材５の位置決めがされた状態において、第２被係合部８１と第１被係合部５０との前後距離は、距離Ｌ２となる。たとえば、第１被係合部５０のおよそ２５ミリメートル前方に第２被係合部８１が位置する。
【００５５】
図７Ａおよび図７Ｂに示すように、第２係合部８０１と第２被係合部８１とが係合され、排水部材５の位置決めがされた状態において、第２被係合部８１と第１被係合部５０との前後距離は、距離Ｌ３となる。たとえば、第１被係合部５０のおよそ５ミリメートル後方に第２被係合部８１が位置する。
【００５６】
床面Ｆ１に設けられる排水口４と壁掛用便器本体２を設置する壁部Ｗ１との前後方向（Ｙ軸方向）の距離は、タンクフレーム装置１が設置される現場によって異なる。このため、排水部材５の接続距離は、現場ごとに調整する必要がある。
【００５７】
このように、第１実施形態に係るタンクフレーム装置１において、位置決め部７は、複数の第２係合部８０（第２係合部８００ａ，８００ｂ，８０１）を備えており、これら複数の第２係合部８０は、第１係合部８５との前後距離がそれぞれ異なる。このため、第２被係合部８１に係合させる第２係合部８０を変更することによって、位置決め部７と排水部材５の接触面積を確保しながら、排水部材５の接続距離を調整することができる。
【００５８】
また、複数の第２係合部８０は、位置決め部７の第１の面と第１の面とは異なる第２の面とに設けられる。このため、たとえば、位置決め部７を回転させることによって第２被係合部８０と第１被係合部５０との前後距離が変更できるようになる。これにより、位置決めのパターンを更に増やすことができ、排水部材５の接続距離をより細かく調整することができる。
【００５９】
また、複数の第２係合部８０（第２係合部８００ａ，８００ｂ，８０１）のうち、第２係合部８００ａ，８００ｂは第１位置決め部材７０に設けられ、第２係合部８０１は第２位置決め部材７１に設けられる。このため、たとえば、位置決め部７の下半分を第１位置決め部材７０とし、上半分を第２位置決め部材７１とした場合、第１位置決め部材７０および第２位置決め部材７１の上下関係を反対にすることで第２被係合部８１と第１被係合部５０との前後距離が変更できるようになる。これにより、位置決めのパターンを更に増やすことができ、排水部材５の接続距離をより細かく調整することができる。
【００６０】
また、排水部材５の第１被係合部５０は、排水部材５の前後方向に異なる位置に少なくとも２つ形成されるため、係合させる第１被係合部５０との組み合わせを変更することによって、例えば、２つの第１被係合部５０と組み合わせる場合には、第２被係合部８１と第１被係合部５０の組み合わせによって増やした位置決めパターンを更に２倍にすることができる。このように、位置決めのパターンを更に増やすことができ、排水部材５の接続距離をより細かく調整することができる。
【００６１】
なお、第２係合部８０の数は、少なくとも２つであれば良い。すなわち、第２係合部８００の数を２つより多くしても良く、少なくしても良い。また、第２係合部８０１の数を１つより多くしても良い。
【００６２】
次に、第２実施形態に係るタンクフレーム装置について図８および図９Ａ〜図９Ｃを参照して説明する。図８は、第２実施形態に係るフレーム体の概略拡大斜視図である。図９Ａ〜図９Ｃは、第２実施形態に係る位置決め部の組立説明図である。なお、以下の説明では、既に説明した部分と同様の部分については、既に説明した部分と同一の符号を付し、重複する説明を省略する。
【００６３】
図９Ａ〜図９Ｃに示すように、第２実施形態に係る位置決め部７Ａに形成された第２係合部８０Ａは、第１実施形態の第２係合部８０と同様に、第２係合部８０Ａの上側の部分（第２係合部８０ＡのＺ軸正方向側の部分）が前後方向と左右方向に狭く形成されており、第２係合部８０Ａの下側の部分（第２係合部８０ＡのＺ軸負方向側の部分）が、前後方向と左右方向に広く形成されている。また、位置決め部７Ａは、弾性変形する前後移動抑制部８５５を更に備えている。実施形態において、前後移動抑制部８５５は、左右移動抑制部８５０の中途部に設けられ、左右移動抑制部８５０から前後方向（図９Ａ〜図９Ｃでは、Ｙ軸正方向）に沿って延在する。
【００６４】
図８に示すように、第２実施形態に係るフレーム体３Ａに形成された第２被係合部８１Ａは、左端部（Ｘ軸負方向側の端部）にスリット部８１０を備えている。スリット部８１０は、第２被係合部８１Ａの左端部から前方に向けて形成される切欠き状になっている。スリット部８１０は、第２係合部８０Ａの上側の部分よりも左右方向に広く形成されており、下側の部分よりも狭く形成されている。
【００６５】
位置決め部７Ａをフレーム体３Ａに取り付ける際には、まず、図９Ａに示すように、第２被係合部８１Ａの前後方向に広く開口している部分に第２係合部８０Ａを挿入する。
【００６６】
そして、図９Ｂに示すように、位置決め部７Ａを左方向（Ｘ軸負方向）に移動させることで、第２係合部８０Ａの前後方向に広く形成された下側の部分が、第２被係合部８１Ａの狭く開口している部分の下に入り込む。そして、位置決め部７を左方向に移動し終えると、左右移動抑制部８５０が第２被係合部８１Ａに嵌り込む。これにより、上下方向（Ｚ軸方向）および左右方向（Ｘ軸方向）の移動が制限される。また、前後移動抑制部８５５がフレーム体３Ａの梁部３１Ａの角部に係止されることで、位置決め部７Ａの前方（Ｙ軸負方向）への移動が制限される。
【００６７】
位置決め部７を後ろ方向（Ｙ軸正方向）に移動しようとした場合は、第２係合部８０Ａの上側の部分がフレーム体３Ａに接触することで移動が制限される。位置決め部７Ａを前方向（Ｙ軸負方向）に移動する際には、図９Ｃに示すように、前後移動抑制部８５５を弾性変形させながら位置決め部７Ａを前方にスライドさせることによって、前後移動抑制部８５５の下方に突出した部分の仮止めが外れる。そして、第２係合部８０Ａの左右方向に広く形成された下側の部分が、スリット部８１０の下に入り込む。
【００６８】
位置決め部７Ａを前方向に移動し終えると、前後移動抑制部８５５が第２被係合部８１Ａに嵌り込む。これによって、前後方向（Ｙ軸方向）の移動が制限される。これらにより、位置決め部７Ａがフレーム体３Ａに接続される。
【００６９】
このように、第２実施形態に係るタンクフレーム装置１Ａでは、第２被係合部８１Ａは、第２係合部８０Ａが前後方向に移動可能となるように形成されるため、第２係合部８０Ａが前後方向に移動することによって、第２被係合部８１Ａと第１被係合部５０との前後距離が変わるため、位置決めのパターンを更に増やすことができ、排水部材５の接続距離をより細かく調整することができる。
【００７０】
上述してきたように、第１および第２実施形態に係るタンクフレーム装置１，１Ａによれば、位置決め部７，７Ａは、排水部材５に形成された第１被係合部５０と係合するとともに、位置決めがされた状態で第２被係合部８１，８１Ａと第１被係合部５０との前後距離がそれぞれ異なる第２係合部８０，８０Ａが少なくとも２つ設けられているため、第２被係合部８１，８１Ａに係合させる第２係合部８０，８０Ａを変更することによって、位置決め部７，７Ａと排水部材５の接触面積を確保しながら、排水部材５の接続距離を調整することができる。
【００７１】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７２】
Ｔ        トイレ装置
１        タンクフレーム装置
２        壁掛用便器本体
２０      便器
２１      温水洗浄機能部
３        フレーム体
４        排水口
５        排水部材
５０      第１被係合部
６        パネル状部材
７        位置決め部
７０      第１位置決め部材
７００    下面（第１の面）
７１      第２位置決め部材
７１０    上面（第２の面）
８        接続部
８５      第１係合部
８０      第２係合部
８５０    左右移動抑制部
８５５    前後移動抑制部
８１      第２被係合部
８１０    スリット部
１０      タンク本体
１１      面板開口部
Ｗ１      壁部
Ｆ１      床面
【図１】
2020153090.tif 000003
【図２】
2020153090.tif 000004
【図３】
2020153090.tif 000005
【図４Ａ】
2020153090.tif 000006
【図４Ｂ】
2020153090.tif 000007
【図５Ａ】
2020153090.tif 000008
【図５Ｂ】
2020153090.tif 000009
【図６Ａ】
2020153090.tif 000010
【図６Ｂ】
2020153090.tif 000011
【図７Ａ】
2020153090.tif 000012
【図７Ｂ】
2020153090.tif 000013
【図８】
2020153090.tif 000014
【図９Ａ】
2020153090.tif 000015
【図９Ｂ】
2020153090.tif 000016
【図９Ｃ】
2020153090.tif 000017